(57)【特許請求の範囲】
【請求項１】
倉庫内部および倉庫内保管物の物理量を測定する認証機関で認定された少なくとも１台の測定器と、
この測定器とネットワークを介して接続され、少なくとも、ユーザー認証手段と、前記測定器が測定収集した測定データを保存するデータサーバーと、このデータサーバーに保存されている測定データをユーザーの要求に応じて加工編集処理するデータ処理手段と、加工したデータを認証が確立されたユーザーに送信するデータ送信手段を有するデータセンターと、
前記データセンターとネットワークを介して接続され、ユーザー認証確立後に前記データセンターとの間で所望のデータの授受を行い、倉庫の測定データの管理記録証明書を発行する少なくとも１つの認証機関、
とで構成されたことを特徴とする倉庫管理システム。
【請求項２】
前記ネットワークはインターネットであることを特徴とする請求項１記載の倉庫管理システム。
【請求項３】
ユーザーに送信するデータはＨＴＭＬ形式に変換されたものであることを特徴とする請求項１または請求項２記載の倉庫管理システム。
【請求項４】
測定データの加工種別には、トレンドデータ、日報データ、月報データ、年報データ、積算データの少なくともいずれかを含むことを特徴とする請求項１〜請求項３いずれかに記載の倉庫管理システム。
【発明の詳細な説明】
【０００１】
【発明の属する技術分野】
本発明は倉庫管理システムに関し、詳しくは、ネットワークを活用した新しい倉庫管理システムに関するものである。なお、以下における倉庫とは、平床構造の普通倉庫、サイロやタンクなどの貯蔵槽倉庫を含むものとする。
【０００２】
【従来の技術】
農水産物、特にコメ貯蔵においては、保管庫内の温度を下げて湿度などの影響による米粒の含水率を適切に保つことにより、長期的に食味品質を保持できることから、わが国のコメ倉庫における低温倉庫の比率は年々増加傾向をたどってきた。例えば、コメの低温倉庫の庫内温度は常時15℃以下に規定され、庫内湿度は60〜70％を目安に管理している。なお準低温倉庫は20℃以下で保管され、常温倉庫は概ね23℃以下で保管される。
【０００３】
ところで、収穫から1年経過して古米化した時点での食味品質劣化は、低温保管に対して常温保管の方が劣ることは当然である。さらに言えば、同じ低温保管のコメでも、倉庫設備のハード面や保管管理などの運用ソフト面によって食味品質劣化の度合いが異なってくる。
【０００４】
全国に点在する低温倉庫については、政府指定倉庫としての認定仕様があるものの、建築構造や材料、空調設備などの倉庫設備のハード面のグレードは様々である。またソフト面の空調管理や保管記録行為については作業者が介在することが多く、人為ミスの発生は避けられないものといえる。
【０００５】
【発明が解決しようとする課題】
本発明は、これらの問題を解決するものであり、その目的は、従来倉庫業者が行っていた倉庫内部および倉庫内保管物の温度や湿度や水分量などの各種物理量の測定管理記録を自動化して保存し、これら保存されている客観的で正確な測定データをもとに認証機関などが発行する管理記録証明書をコメなどの倉庫内保管物の取引に利用する倉庫管理システムを提供することにある。
また、他の目的は、ユーザーの負担を増大させることなく、ユーザーが必要とするときに必要なデータ形式で解析加工された所望の測定データが得られる倉庫管理システムを提供することにある。
【０００６】
【課題を解決するための手段】
このような目的を達成する請求項１の発明は、
倉庫内部および倉庫内保管物の物理量を測定する認証機関で認定された少なくとも１台の測定器と、
この測定器とネットワークを介して接続され、少なくとも、ユーザー認証手段と、前記測定器が測定収集した測定データを保存するデータサーバーと、このデータサーバーに保存されている測定データをユーザーの要求に応じて加工編集処理するデータ処理手段と、加工したデータを認証が確立されたユーザーに送信するデータ送信手段を有するデータセンターと、
前記データセンターとネットワークを介して接続され、ユーザー認証確立後に前記データセンターとの間で所望のデータの授受を行い、倉庫の測定データの管理記録証明書を発行する少なくとも１つの認証機関、
とで構成されたことを特徴とする倉庫管理システムである。
【０００７】
請求項２の発明は、請求項１記載の倉庫管理システムにおいて、
前記ネットワークはインターネットであることを特徴とする。
【０００８】
請求項３の発明は、請求項１または請求項２記載の倉庫管理システムにおいて、
ユーザーに送信するデータはＨＴＭＬ形式に変換されたものであることを特徴とする。
【０００９】
請求項４の発明は、請求項１〜請求項３いずれかに記載の倉庫管理システムにおいて、
測定データの加工種別には、トレンドデータ、日報データ、月報データ、年報データ、積算データの少なくともいずれかを含むことを特徴とする。
【００１０】
これらにより、データセンターは、認定された測定器による倉庫内部および倉庫内保管物の温度や湿度や水分量などの各種物理量の測定管理記録を自動化して保存する。
【００１１】
認証機関は、これらデータセンターに保存されている認定された測定器による測定データに基づいて、倉庫毎や荷ロット毎に管理記録証明書を発行する。
【００１２】
倉庫内保管物の買受人は、認証機関が発行する管理記録証明書により倉庫内部および倉庫内保管物の温度や湿度や水分量などの各種物理量の測定データが正確に測定されていたことを確認でき、安心して取引に参画できる。
【００１３】
また、倉庫内部および倉庫内保管物の各種物理量の測定には作業者が介在しないことから、人為ミスの発生を回避できる。
【００１４】
また、認証機関や倉庫業者や荷主や買受人などのユーザーは、必要に応じてデータセンターにアクセスすることにより、汎用のウェブ閲覧用ソフトで必要な測定データを手元で閲覧できる。
【００１５】
また、測定現場の倉庫とデータセンターとの間に新規にデータ通信システムを構築することなく、既存のネットワークを利用してデータの授受が行える。
【００１６】
さらにユーザーによる測定データの解析や加工作業も不要になり、アプリケーションの保守管理作業も不要になる。
【００１７】
【発明の実施の形態】
以下、図面を用いて本発明の実施の形態を説明する。
図１は本発明のシステム概念図である。
ネットワークとして用いるインターネット１００には、低温に維持管理されている倉庫２００、データセンター３００、認証機関４００、取引に関与するユーザー５００、携帯端末６００などが接続されている。
【００１８】
倉庫事業者が管理する倉庫２００には、認証機関４００で認定された少なくとも１台の測定器２１０が設置されている。このような測定器２１０としては例えばインターネット１００に接続するためのインターフェース機能を備えた多点測定器を用いる。測定器２１０は、倉庫内２２０の複数個所に分散配置された温度センサおよび湿度センサ（例えば２２１〜２２６）から変換伝送出力される各測定値に対応した例えば４〜２０ｍＡのアナログ電流信号を取り込むとともに、倉庫内保管物である例えばコメ２３０の袋内の温度や湿度やコメの含有水分を分散された複数の保管位置で測定して取り込む。具体的には、例えば温度については白金測温抵抗体（例えば２３１〜２３４）のアナログ測定信号を取り込む。その他、必要に応じて、コメの蛋白質、脂肪酸度、アミロース、アミログラム、水抽出酸度などの理化学分析データ類や食味計の測定データなどを取り込むようにしてもよい。
【００１９】
測定器２１０は、これら各測定センサから出力される測定物理量の値に応じたアナログ測定信号を所望ビット数のデジタル信号に変換してメモリに格納するとともに、これらパラレルデータをシリアルデータに変換する。変換されたシリアルデータは、図示しないインターフェース部を介してインターネット１００に接続される。
【００２０】
ここで、インターフェース部は、サーバー部、モデム部、送信制御部、測定条件制御部、測定データ演算部、測定データメモリなどを用途に応じて組み込むものとする。なお、このようなインターフェース部は、測定器２１０に対して外付けするものであってもよい。
【００２１】
なお測定器２１０は、倉庫業者２００が資産として購入したり、レンタル・リース会社あるいは認証機関から借りる場合などが考えられるが、いずれにしても認証機関の認定したものを使用しなくてはならないものとする。
【００２２】
また、測定センサ類は実施例に限るものではなく、例えばサーミスタ温度計や熱電対などを用いてもよい。
【００２３】
データセンター３００は、ユーザー認証部、ＷＷＷサーバー部、データサーバー部、測定データ加工編集部、ユーザー別処理履歴サーバー部、設定管理サーバー部などを備えていて、これらはＬＡＮ接続されている。
【００２４】
データセンター３００では、所定のユーザー認証手続を経たユーザーからのアクセスが可能になるように、ユーザー認証部にＩＤコードやパスワードなどの所定のユーザー情報を登録する。そして、測定器２１０からインターネット１００を介して送信される測定データをデータサーバー部に取り込み、例えばユーザーおよび測定器毎のファイルとして格納する。
【００２５】
また、データセンター３００では、データサーバー部に取り込んだ測定データを、トレンド・日報・週報・月報・年報・積算・警報履歴などのユーザーの処理加工要求に応じて測定データ加工編集部により加工編集し、加工編集データを適切なファイル名を付けて別途データサーバー部に格納する。これらユーザーの処理加工要求はユーザー別処理履歴サーバー部に逐次格納し、必要に応じて参照できるようにする。
【００２６】
さらに、データセンター３００では、必要に応じて測定器２１０の測定条件データや、測定器として測定対象に対する制御機能を有するものを用いた場合の制御設定条件データなどの各種の設定管理に関するデータを設定管理サーバー部に逐次格納し、必要に応じて参照できるようにする。
【００２７】
認証機関４００には、汎用のウェブブラウザが組み込まれた端末が設けられていて、データセンター３００との間で所望のデータの授受を行う。
【００２８】
そして認証機関４００は、ユーザーからの交付申請に応じて、データセンター３００に保存されている認定された測定器による測定データに基づき、倉庫２００毎の管理記録証明書４１０を発行する。
【００２９】
荷主や買受人などのユーザー５００にも汎用のウェブブラウザが組み込まれた端末が設けられて、必要に応じてデータセンター３００との間で所望のデータの授受を行う。
【００３０】
携帯端末６００にも汎用のウェブブラウザに準じたブラウザが組み込まれていて、データセンター３００との間で所望のデータの授受を行うことができる。
【００３１】
図２は、図１のシステムにおける書類などの授受関係の説明図であり、図１と共通する部分には同一の符号を付けている。
【００３２】
倉庫事業者２４０は、認証機関４００に対し、倉庫２００の内部に設置する測定器２１０について、認証機関４００が規定する所定の規格を満たしていることを証明する「測定器認定証交付」を所定の手数料とともに申請する。
【００３３】
認証機関４００は、認定申請に応じて該当する測定器の機能を検査確認し、規定する所定の規格に適合していることを証明する「測定器認定証」を交付する。
【００３４】
また倉庫事業者２４０は、必要に応じて、認証機関４００に対して、希望する指定期間における倉庫２００内部の温度・湿度や倉庫内保管物の袋内の温度や湿度やコメの含有水分などの管理記録について、認定された測定器により適正に測定記録された結果であることを証明してもらうための「管理記録証明書交付」を所定の手数料とともに申請する。
【００３５】
認証機関４００は、証明書申請に応じて、該当する指定期間の管理記録が認定された測定器により適正に測定記録された結果であることを証明する「管理記録証明書」を交付する。
【００３６】
荷主５１０は、倉庫事業者２４０に対してコメなどの保管物の管理を依頼し、所定の保管料を支払う。
【００３７】
荷主５１０は、必要に応じて、認証機関４００に対して、自分の倉庫内保管物の希望する指定期間における倉庫２００内部の温度・湿度や倉庫内保管物の袋内の温度や湿度やコメの含有水分などの管理記録について、認定された測定器により適正に測定記録された結果であることを証明してもらうための「管理記録証明書交付」を所定の手数料とともに申請する。
【００３８】
認証機関４００は、証明書申請に応じて、該当する指定期間の管理記録が認定された測定器により適正に測定記録された結果であることを証明する「管理記録証明書」を交付する。
【００３９】
農業協同組合や卸や小売りや商社などの買受人５２０も、取引対象になる保管物の管理状況を事前に把握するために、必要に応じて認証機関４００に対して「管理記録証明書交付」を所定の手数料とともに申請する。
【００４０】
認証機関４００は、証明書申請に応じて、該当する指定期間の管理記録が認定された測定器により適正に測定記録された結果であることを証明する「管理記録証明書」を交付する。
【００４１】
なお認証機関４００が交付する「管理記録証明書」には、申請者の要求に応じて該当する保管対象についての認定された測定器に基づく理化学分析データを併記することもできる。
【００４２】
そして、買受人５２０は市場の動向などを観察しながら、倉庫に保管されているコメなどの保管物を荷主５１０から購入する。このとき、買受人５２０は荷主５１０に対して適正に管理されていたことを証明する「管理記録証明書」の添付を求めることもあるし、荷主５１０が自主的に「管理記録証明書」を添付することも考えられる。
【００４３】
このようなシステムを構築することにより、農水産物、特にコメ貯蔵に関連して以下のような効果が期待できる。
【００４４】
コメ貯蔵にあたっては、前述のように保管庫内の温度を下げ、湿度などの影響による米粒の含水率を適切に保つことにより長期的食味品質が保持されている。
コメの新米相場は現在概ね１７千円／６０kgであるが、政府米の場合には1年経った古米は１千円下がり、2年目を迎えた古古米では新米相場より２千円減額される。これは常温、低温保管にかかわらず、またどんなに良い品質に維持されていようが古米というレッテルが張られたことにより最低課せられる減額基準であって、コメの品質劣化によってはさらに低い価格で取引される。
【００４５】
しかし、コメの保管方法によっては、古米化した時点での食味品質劣化に大きな違いが発生する。すなわち、低温保管と常温保管を比較すると、常温保管の方が劣ることは当然である。また、同じ低温保管のコメでも、倉庫のハード面や保管管理などの運用ソフト面の実態によって劣化度合いが異なってくる。
【００４６】
本発明は、これらに着目して、これまで倉庫業者が行っていた管理記録を自動化し、客観的で正しい蓄積データをもとに認証機関が管理記録証明書を発行し、その証明書をコメ取引に利用するようにした。
【００４７】
これにより、古米や古古米などの従来の一律価格を是正でき、保管倉庫の違いによるハード・ソフト面の品質グレードをも加味した形で適正に設定することにより、倉庫業者の企業努力を生かせるばかりでなく、消費者ニーズにも応えることができる。
【００４８】
なお、ネットワークは、インターネット１００に限るものではなく、公衆回線や専用回線も含むものとする。そして、リアルタイムに測定データを見たい場合には、これら公衆回線や専用回線を介して測定器２１０にアクセスすればよい。
【００４９】
また、上記実施例ではコメの低温保管倉庫の例について説明したが、コメに限るものではなく、保管環境の記録条件を客観的に証明できることから、各種の農水産物や工業製品などの倉庫管理にあたって種々の付加価値が期待できる。
【発明の効果】
以上説明したように、本発明によれば、認証機関などが発行する管理記録証明書を利用した新しい倉庫管理システムが実現でき、コメをはじめとする各種の取引に有益である。
【図面の簡単な説明】
【図１】本発明のシステム概念図である。
【図２】図１のシステムにおける書類などの授受関係の説明図である。
【符号の説明】
１００  ネットワーク（インターネットなど）
２００  倉庫（低温倉庫など）
２１０  測定器
２２１〜２２６  温度センサおよび湿度センサ
２３０  保管物
２３１〜２３４  白金測温抵抗体
３００  データセンター
４００  認証機関
４１０  管理記録証明書
５００  データセンター
６００  携帯端末
【図１】
0004246408.tif 000002
【図２】
0004246408.tif 000003